(57)【要約】【課題】シェーカーの固定を容易にしカクテルの優れた風味と両立させるカクテルシェーカーを提供する。【解決手段】ボディ１底部やトップ２の上部に凹みや凸凹を設けることで手との摩擦を増して滑りを防ぐので、掌や指を強く押し付けなくてもシェーカーの固定が容易となり、疲れず使い勝手が向上することに加え、シェーカーの確実な固定とカクテルの優れた風味との両立も実現される。トップ２とストレーナー３をステンレス製、ボディ１をチタン製としたことにより、軽量で風味を損なわず使いやすく長持ちする安価なカクテルシェーカーを提供できる。【選択図】図１
0003101918.tif 000002
【実用新案登録請求の範囲】
【請求項１】
ボディと、ストレーナーと、トップと、を組み合わせて構成されるカクテルシェーカーにおいて、
前記ボディの底部及び前記トップの上部の少なくとも一方に、凹み又は凸凹の少なくとも一方を設けたことを特徴とするカクテルシェーカー。
【考案の詳細な説明】
【技術分野】
【０００１】
本考案は、シェーカーの固定を容易にしカクテルの優れた風味と両立させるカクテルシェーカーに関するものである。
【背景技術】
【０００２】
従来から、酒類など複数の材料を混ぜてカクテルをつくる道具として、図５に例示するようなカクテルシェーカー（以下「シェーカー」と呼ぶ）が知られている。シェーカーは、図５（ｂ）に示すボディ１０に氷や酒類等を入れ、濾し穴のあるストレーナー３０をかぶせ、トップ２０で蓋をすることで図５（ａ）の状態としたうえ、全体を手で振って中身をシェイクし、トップ２０を外してストレーナー３０越しに、氷をボディ１０に残して中身だけグラスに注ぐものである。
【０００３】
中身をシェイクする際は、トップの上とボディの底面とを適宜両手で押さえるが、シェイクの勢いでシェーカーが手からズレ落ちて中身をぶちまける悲劇は論外であり、従来から最も注意すべきこととされている。
【特許文献１】特開２００２−１８６４７６号公報
【考案の開示】
【考案が解決しようとする課題】
【０００４】
しかしながら、シェーカーはそもそも丸みを帯びているうえ、リキュールや果汁等の材料で手が滑りやすく、中に入れる氷の冷たさで結露もするので、悲劇をもたらす要素は多い。
【０００５】
このため、いきおい指や掌でシェーカーを強く押さえることでしっかり固定することになるが、これではシェイクする本人も手が疲れてつらく、接客の余裕も無くなる不都合があった。また、手の体温が伝わって水っぽくなったカクテルは下手な作品とされるので、シェーカーの確実な固定とカクテルの優れた風味の両立が難しいという問題もあった。
【０００６】
従来、シェーカーの胴体部などに意匠的工夫を施したり、他用途への転用を旨としたものは知られているが（特許文献１参照）、シェーカーとしての本来の用途において上記のような技術的課題を解決する技術は知られていなかった。
【０００７】
すなわち、従来技術の問題点は、シェーカーの固定も、風味との両立も困難なことであった。本考案は、そのような従来技術の問題点を解決するために提案されたもので、その目的は、シェーカーの固定を容易にしカクテルの優れた風味と両立させるカクテルシェーカーを提供することである。
【課題を解決するための手段】
【０００８】
上記の目的を達成するため、請求項１の考案は、ボディと、ストレーナーと、トップと、を組み合わせて構成されるカクテルシェーカーにおいて、前記ボディの底部及び前記トップの上部の少なくとも一方に、凹み又は凸凹の少なくとも一方を設けたことを特徴とする。
【０００９】
本考案では、ボディ底部やトップの上部に凹みや凸凹を設けることで手との摩擦を増して滑りを防ぐので、掌や指を強く押し付けなくてもシェーカーの固定が容易となり、疲れず使い勝手が向上することに加え、シェーカーの確実な固定とカクテルの優れた風味との両立も実現される。
【考案の効果】
【００１０】
以上のように、本考案では、ボディの底部やトップの上部に凹みや凸凹を設けることで手との摩擦を増して滑りを防ぐので、掌や指を強く押し付けなくてもシェーカーの固定が容易となり、疲れず使い勝手が向上することに加え、シェーカーの確実な固定とカクテルの優れた風味との両立も実現される。
【考案を実施するための最良の形態】
【００１１】
以下、本考案のカクテルシェーカー（「本シェーカー」と呼ぶ）を実施するための最良の形態（本実施形態と呼ぶ）について図面を参照して説明する。すなわち、本シェーカーは、図１に示すように、チタン（チタニウム及びその合金、窒化チタン(ＴｉＮ)や炭化チタン（ＴｉＣ）などの化合物のいずれでもよい）製のボディ１と、ステンレス・スティール製のトップ２及びストレーナー３と、をはめ合わせて構成される。図１の（ａ）は各部分をはめ合わせた状態、（ｂ）は分解した状態を示す。
【００１２】
従来のカクテルシェーカー（図５）と比較した本シェーカーの第一の相違点は、ボディ１の素材のみをチタン製とした点であり、ステンレスやチタン、カクテルシェーカーの各パーツの加工や製造の技術については、従来公知のものを適宜適用してよい。
【００１３】
上記のような本実施形態では、トップ２とストレーナー３をステンレス製、ボディ１をチタン製としたことにより、軽量で風味を損なわず使いやすく長持ちする安価なカクテルシェーカーを提供できる。
【００１４】
すなわち、最大の部分であるボディ１を軽量なチタン製とし、トップ２とストレーナー３はステンレス製とする。このため、チタン同士の外れにくさや激しい磨耗による液漏れ等の問題が回避される。むしろ、ステンレスは成形中の加工硬化により金属が硬いため異種金属との組合せにおいては耐磨耗性に優れる利点もある。また、トップ側が重くボディ側が軽いという重さのバランスとなるのでスナップが効き振り抜きやすく、シェイクの効果や演出等の技術的改善をもたらす。また、カクテルの材料が触れる最大の部分であるボディ１がチタンなので、耐食性に優れ、軽量で熱容量が小さいため冷えやすく、カクテルに金臭さがつかず、チタンはステンレスより軟らかいため氷が砕け過ぎず水っぽくならないので、風味が損なわれず美味しいカクテルができる。また、ステンレス部分を含むことによりオールチタンのシェーカーより安価となる。
【００１５】
また、従来のカクテルシェーカー（図５）と比較した本シェーカーの第二の相違点として、本シェーカーにおけるボディ１の底部及びトップ２の上部の少なくとも一方に、凹み又は凸凹の少なくとも一方を設ける。例えば、図２は、従来では全体が球面状に丸みを帯びていたトップ２の上部について、その中央に逆向きの凹み２１を設けた例である。また、図３は、ボディ１の底部、特に底面に点字状の突起１１を縦横に形成配設したものである。このような突起はトップ２上面（図１、図２）に設けてもよいし、これら突起に代え、突起と逆の小さな凹み、縦横の線状突起や溝をボディ１底面やトップ２上面に設けてもよい。さらに、ボディ１底部やトップ２上部の辺縁部に、図４に例示するような円周状のギザギザを設けてもよい。
【００１６】
このように、本実施形態では、ボディ１底部やトップ２の上部に凹みや凸凹を設けることで手との摩擦を増して滑りを防ぐので、掌や指を強く押し付けなくてもシェーカーの固定が容易となり、疲れず使い勝手が向上することに加え、シェーカーの確実な固定とカクテルの優れた風味との両立も実現される。
【図面の簡単な説明】
【００１７】
【図１】本考案の実施形態におけるシェーカーの正面図。
【図２】本考案の実施形態におけるシェーカーのトップを示す斜視図。
【図３】本考案の実施形態におけるシェーカーのボディ底部を示す斜視図。
【図４】本考案の実施形態における円周状のギザギザを示す概念図。
【図５】従来のシェーカーを例示する正面図。
【符号の説明】
【００１８】
１，１０…ボディ
２，２０…トップ
３，３０…ストレーナー
２１…凹み
１１…突起
【図１】
0003101918.tif 000003
【図２】
0003101918.tif 000004
【図３】
0003101918.tif 000005
【図４】
0003101918.tif 000006
【図５】
0003101918.tif 000007